(57)【要約】      （修正有）【課題】高電圧発生回路により直流パルス電圧を印加し特定周波数の断続的高周波電圧を発生させオゾンのみを効果的に発生させるオゾン発生用電極の提供。【解決手段】オゾンを発生させる高電圧電極のセラミック絶縁体を円筒形にして、高電圧電極板（＋）を円筒形セラミック絶縁体の内面に密着設置し、表面を絶縁性コーティング材でコーティングした高電圧電極部（＋）と導電性金属により構成されている接地電極（−）を円筒形セラミック絶縁体の外面に密着設置した構造を持つオゾン発生用電極、及び高電圧電極板（＋）を円筒形セラミック絶縁体の外面に密着設置し、表面を絶縁性コーティング材でコーティングした高電圧電極部（＋）と導電性金属により構成されている接地電極（−）を円筒形セラミック絶縁体の内面に密着設置した構造を持つオゾン発生用電極。【選択図】図２
2007084416.tif 000002
【特許請求の範囲】
【請求項１】
オゾンを発生させる高電圧電極のセラミック絶縁体を円筒形にして、高電圧電極板（＋）を円筒形セラミック絶縁体の内面に密着設置し、表面を絶縁性セラミック等のポーセレン又は絶縁性耐熱プラスチック等によりコーティングされた高電圧電極部（＋）と導電性金属により構成されている接地電極側（−）を円筒形セラミック絶縁体の外面に密着設置して形成されている構造を特徴とするオゾン発生用電極。
【請求項２】
オゾンを発生させる高電圧電極のセラミック絶縁体を円筒形にして、高電圧電極板（＋）を円筒形セラミック絶縁体の外面に密着設置し、表面を絶縁性セラミック等のポーセレン又は絶縁性耐熱プラスチック等によりコーティングされた高電圧電極部（＋）と導電性金属により構成されている接地電極側（−）を円筒形セラミック絶縁体の内面に密着設置して形成されている構造を特徴とするオゾン発生用電極。
【発明の詳細な説明】
【技術分野】
【０００１】本発明は、高電圧発生回路により直流パルス電圧又は交流電圧を印加して特定周波数の断続的高周波電圧を発生させて、オゾン発生用電極により酸素原子をイオン化させることによりオゾンを発生させるオゾン発生装置に使用するオゾン発生用電極に関するものである。
【背景技術】
【０００２】オゾンは酸素原子が３個イオン結合したもので、殺菌・漂白・脱臭等の薬理作用があることが知られており、各種殺菌装置や浄化装置に広く利用されている。
オゾンを発生させるには種々のオゾン発生用電極が使われている。
一般的にはガラスチューブの内側に導電体である金属をコーティングして円筒形の金属管の中にセットして、オゾン発生用電極として無声放電することによりオゾンを発生させたり、セラミック絶縁板を挟持するように形成された２つの電極に特定周波数の断続的高周波電圧を放電することによりオゾンを発生させる方法等が実施されている。【０００３】これらの方法は電極に高電圧を印加して電極間に高電界を発生させ酸素原子をイオン化させるため、空気中の窒素も同時に酸化させ、窒素酸化物（ＮＯｘ）等の不純物を多く発生させる欠点が発生している。【０００４】また、オゾン生成中のイオン電流により発生するジール熱は窒素原子の励起を促して紫外線の発生によるエネルギー消費を起こし、同時にオゾン生成中に生じる無水硝酸（Ｎ２Ｏ５）が空気中の水分と反応して濃硝酸（ＨＮＯ３）を発生させ、放電用電極の劣化を早めることになっている。
これら窒素酸化物（ＮＯｘ）や濃硝酸（ＨＮＯ３）等の不純物は人体に悪影響を与える物質である。
従って、安全上の問題となる。
【発明の開示】
【発明が解決しようとする課題】
【０００５】解決しようとする問題点は、従来の方法ではでは空気を原料としてオゾン発生用電極に高電圧発生回路により直流パルス電圧を印加して、酸素原子をイオン化させることによりオゾンを発生させると、このときオゾンの他に窒素酸化物（ＮＯｘ）や濃硝酸（ＨＮＯ３）などの不純物も同時に発生させてしまう。
オゾンを発生させるときのジュール熱によって、紫外線の発生のエネルギー消費を起こし濃硝酸（ＨＮＯ３）と共にオゾン発生用電極の劣化を早め、窒素酸化物（ＮＯｘ）の発生も促進させる。【０００６】又、オゾンの発生量を多くするためには大きな容積を必要としている。【０００７】本発明は、このような問題点を解決するために、空気中の窒素やオゾン生成中に生じる無水硝酸（Ｎ２Ｏ５）が空気中の水分の影響をうけないで高電圧発生回路により直流パルス電圧を印加して特定周波数の断続的高周波電圧を発生させて、酸素原子を選択的にイオン化させ、オゾンのみを効果的に発生させることを可能にしたオゾン発生用電極を提供することを目的とするものである。
【課題を解決するための手段】
【０００８】本発明は上記課題に鑑み発明されたもので、オゾンを発生させる高電圧電極のセラミック絶縁体を円筒形にして、高電圧電極板（＋）を円筒形セラミック絶縁体の内面に密着設置し、表面を絶縁性セラミック等のポーセレン又は絶縁性耐熱プラスチック等によりコーティングされた高電圧電極部（＋）と導電性金属により構成されている接地電極側（−）を円筒形セラミック絶縁体の外面に密着設置して形成されている構造を特徴とするオゾン発生用電極。【０００９】又は、オゾンを発生させる高電圧電極のセラミック絶縁体を円筒形にして、高電圧電極板（＋）を円筒形セラミック絶縁体の外面に密着設置し、表面を絶縁性セラミック等のポーセレン又は絶縁性耐熱プラスチック等によりコーティングされた高電圧電極部（＋）と導電性金属により構成されている接地電極側（−）を円筒形セラミック絶縁体の内面に密着設置して形成されている構造を特徴とするオゾン発生用電極。【００１０】オゾンを発生させる高電圧電極板（＋）の全表面が絶縁性セラミック等のポーセレン又は絶縁性耐熱プラスチック等によりコーティングされている高電圧電極部（＋）と導電性金属により構成されている接地電極（−）とが円筒形で形成されている構造を特徴とするオゾン発生用電極により空気中の窒素や水分の影響を受けにくいオゾン発生用電極の構造を可能とし、窒素酸化物（ＮＯｘ）や濃硝酸（ＨＮＯ３）の有害物質を発生しないようにしたものである。【００１１】オゾン発生量を少ない容積で多く発生させるためにオゾン発生用電極の形状を円筒形にしてオゾン発生面積を拡大した。【００１２】［作  用］
以上のように構成された本発明はオゾンを発生させる高電圧電極（＋）の表面を絶縁性セラミック等のポーセレン又は絶縁性耐熱プラスチック等により完全にコーティングされているため、オゾン生成時に発生するジュール熱による紫外線の発生や窒素酸化物（ＮＯｘ）等の不純物や無水硝酸（Ｎ２Ｏ５）が空気中の水分と反応して発生する濃硝酸（ＨＮＯ３）等により金属製のオゾン発生用高電圧電極を劣化させたり破壊することもない。【００１３】又、オゾン発生用高電圧電極（＋）の表面にコーティングされている絶縁性セラミック等のポーセレン又は絶縁性耐熱プラスチックは非常に高い耐熱性及び高強度を持っているためオゾン発生時に発生するジュール熱による破壊も起こりにくく、窒素酸化物（ＮＯｘ）や濃硝酸（ＨＮＯ３）等の不純物がオゾン発生用高電圧電極（＋）の表面に付着することがあっても、アルコール等を使用して、ふき取れば簡単に清掃でききれいな表面をしたオゾン発生用高電圧電極（＋）に復元できる。【００１４】従って、従来のオゾン発生用電極の欠点を解消し、表面の酸化に対する弱さを改善した非常に長寿命で信頼性の高いオゾン発生用電極となっている。【００１５】オゾン発生用電極の形状を円筒形にしたことにより、従来のオゾン発生体に必要とされる容積の２分の１の容積で、同量のオゾンを発生が可能となった。
【実施例】
【００１６】本発明の実施例を図面に基づいて説明する。
オゾン発生用電極は図１〜図４に示すようにセラミック絶縁体１、高電圧電極（＋）２、接地電極（−）３、高電圧電極用端子（＋）４、接地電極用端子（−）５、絶縁性コーティング材６とから構成されている。【００１７】ここで、図１〜図４に基づいて詳細に説明する。
オゾン発生用電極のセラミック絶縁体１はアルミナ等のセラミックで製作されている。
高電圧電極（＋）２はタングステンやステンレス鋼等の導電性金属で製作されている。
接地電極（−）３はタングステンやステンレス鋼等の導電性金属で製作されている。
高電圧電極用端子（＋）４は耐酸化性・耐熱性のあるタングステンやステンレス鋼等の導電性金属で製作されている。
接地電極用端子（−）５は耐酸化性・耐熱性のあるタングステンやステンレス鋼等の導電性金属で製作されている。
絶縁性コーティング材６は耐熱ガラス、ホーロー、モリブデン、セラミック等のポーセレンやフッソ樹脂等の絶縁性耐熱プラスチックを使用して高電圧電極（＋）２の表面をコーティングしている。【００１８】以上のように構成された本発明は円筒形のセラミック絶縁体１の内面に高電圧電極（＋）２と高電圧電極用端子（＋）４を設置し、円筒形のセラミック絶縁体１の外面に設置電極（−）３と設置電極用端子（−）を設置することによりオゾン発生用電極が形成されている。【００１９】高電圧電極（＋）２の表面は絶縁性コーティング材６でコーティングされている。【００２０】［効  果］
以上のように構成された本発明はオゾンを発生させる高電圧電極（＋）の表面を絶縁性セラミック等のポーセレン又は絶縁性耐熱プラスチック等により完全にコーティングされているため、オゾン生成時に発生するジュール熱による紫外線の発生や窒素酸化物（ＮＯｘ）等の不純物や無水硝酸（Ｎ２Ｏ５）が空気中の水分と反応して発生する濃硝酸（ＨＮＯ３）等により金属製のオゾン発生用高電圧電極を劣化させたり破壊することがない。【００２１】さらに本発明のすばらしいことは、オゾン発生用高電圧電極（＋）の表面にコーティングされている絶縁性セラミック等のポーセレン又は絶縁性耐熱プラスチック等は非常に高い耐熱性及び高強度を持っているためオゾン生成時に発生するジュール熱による破壊も起こりにくく、窒素酸化物（ＮＯｘ）や濃硝酸（ＨＮＯ３）等の不純物がオゾン発生用高電圧電極（＋）Ｋ表面に付着することがあっても、アルコール等を使用して、ふき取れば簡単に清掃でき、きれいな表面をしたオゾン発生用高電圧電極（＋）に復元できる。【００２２】従って、従来のオゾン発生用電極のもろさを解消し、電極の清掃も簡単で、表面の酸化に対する弱さを改善し、オゾン生成量の減少を防いだ、非常に長寿命で信頼性の高いオゾン発生電極となっていることである。【００２３】又、オゾン発生用電極の製作に特別な技術や材料を必要とせず、非常に簡単な構造をしているため安価なものになっている効果も非常にすばらしいことである。【００２４】さらにすばらしいことは、オゾン発生用電極の形状を円筒形にしたことによりオゾンを発生させるのに必要な容積を従来のオゾン発生用電極の２分の１にできたことである。
【図面の簡単な説明】
【００２５】
【図１】本実施例のオゾン発生用電極の高電圧電極（＋）を円筒形セラミック絶縁体の内面に設置した構造を示す図である。
【図２】本実施倒のオゾン発生用電極の高電圧電極（＋）を円筒形セラミック絶縁体の外面に設置した構造を示す図である。
【図３】本実施例のオゾン発生用電極の高電圧電極（＋）を円筒形セラミック絶縁体の内面に設置した構造の縦断面図である。
【図４】本実施例のオゾン発生用電極の高電圧電極（＋）を円筒形セラミック絶縁体の外面に設置した構造の縦断面図である。
【符号の説明】
【００２６】１．セラミック絶縁体
２．高電圧電極（＋）
３．接地電極（−）
４．高電圧電極用端子（＋）
５．接地電極用端子（−）
６．絶縁性コーティング材
【図１】
2007084416.tif 000003
【図２】
2007084416.tif 000004
【図３】
2007084416.tif 000005
【図４】
2007084416.tif 000006